(57)【要約】【課題】クリアファイル側に一体に完成形の綴込み部をもたせ、この綴込み部を非使用時にはシート片の一部を成して邪魔にならずに既存のクリアファイルと同様に書類を収容でき、綴込み可能な状態にも簡単に変えられるようにしたクリアファイルの提供。【解決手段】折り返し辺５に両端が接続し、中間では一方のシート片７側に膨らむ分離線で囲まれたフラップ領域１３を設け、このフラップ領域１３が分離線の分離により折り返し辺５でファイル本体側と連設する綴込み用フラップ（Ｆ１）となる綴込み部を備える。分離線は、中間の凸状に内方に突出する切込み線と、その両側の易破断線１７とで構成され、前記の連設した折り返し辺５側の押え付けにより、切込み線の切込み縁２７に面した凸状部分をシート片７側から浮き上がらせ、その浮き上がり部分を易破断線１７の引裂きによる分離作業用の掴み代（Ｃ）として利用する。【選択図】        図４
2015080909.tif 000002
【特許請求の範囲】
【請求項１】
一枚の矩形のシートの二つ折りによりできた二枚のシート片を重ね合わせ、その折り返し辺と直交する一辺どうしをシールしてなるファイル本体に、
前記折り返し辺に両端が接続し、中間では一方のシート片側に膨らむ分離線と、前記折り返し辺と前記分離線の分離縁とで囲む領域内に設けられた綴じ孔とを備え、前記分離線の分離により、前記領域が前記折り返し辺で前記ファイル本体側と連設する綴込み用フラップとなる綴込み部を備えたクリアファイルにおいて、
前記分離線は、中間の凸状に内方に突出する切込み線と、その両側の易破断線とで構成され、前記の連設した折り返し辺側の押え付けにより、前記切込み線の切込み縁に面した凸状部分を前記シート片側から浮き上がらせ、その浮き上がり部分を前記易破断線の引裂きによる分離作業用の掴み代として利用することを特徴とするクリアファイル。
【請求項２】
請求項１に記載した綴込み部付きクリアファイルにおいて、
易破断線が凹溝線で構成されていることを特徴とするクリアファイル。
【請求項３】
請求項１または２に記載した綴込み部付きクリアファイルにおいて、
綴込み部は裏面となるシート片側に設けられていることを特徴とするクリアファイル。
【請求項４】
請求項１から３のいずれかに記載した綴込み部付きクリアファイルにおいて、
分離線が折り返し辺から間隔をあけて略直交に内方に向けて同じだけ延びる二つの直交部分と、前記直交部分の内方端側から互いに近づく方向に一直線状に前記折り返し辺と略平行に延びる二つの平行部分と、前記平行部分のそれぞれの接近端側から延びて凸状に膨らむ部分とでなり、前記二つの平行部分にはそれぞれ易破断線が形成され、前記凸状部分が掴み代として利用されることを特徴とするクリアファイル。
【請求項５】
請求項４に記載した綴込み部付きクリアファイルにおいて、
綴じ孔が複数間隔をあけて設けられていることを特徴とするクリアファイル。
【請求項６】
請求項４または５に記載した綴込み部付きクリアファイルにおいて、
分離線は二つの平行部分に各別に設けた易破断線以外は切込み線になっており、前記切込み線と前記易破断線は、打ち抜き孔を介して連なっていることを特徴とするクリアファイル。
【請求項７】
請求項６に記載した綴込み部付きクリアファイルにおいて、
打ち抜き孔は一直線方向に長くなった長孔であることを特徴とするクリアファイル。
【発明の詳細な説明】
【技術分野】
【０００１】
本発明はクリアファイルに係り、特にリングバインダーに綴じることができるクリアファイルに関するものである。
【背景技術】
【０００２】
従来から、書類を収容するためのクリアファイルとして、特許文献１に記載されたタイプのクリアファイルが広く流通している。このクリアファイルは、一枚の矩形のシートの二つ折りによりできた二枚のシート片を重ね合わせ、その折り返し辺と直交する二辺のうち下側辺どうしをシールしてなるものである。
【０００３】
このクリアファイルをバインダーに綴込めれば、収容している書類に綴じ孔を設けずにそのまま収容し続けることができるので、特に、複数の書類を携帯し、必要なものを必要な時に直ぐに取り出すことが要求されるようなビジネスの現場では重宝されるはずである。
これに応えて、特許文献２には、クリアファイル側にスリットを設けておき、リングバインダーに綴込みたいときには、別に用意しておいた綴じ孔付きの突出片をスリットに差し込んで綴込み部を作り出すことが提案されている。
【先行技術文献】
【特許文献】
【０００４】
【特許文献１】特開２０１２−５１２７１号公報
【特許文献２】特開２００８−１３２６４５号公報
【発明の概要】
【発明が解決しようとする課題】
【０００５】
特許文献２のクリアファイルは、クリアファイル側にスリットを設けただけなので、クリアファイルとしての形状や寸法は既存のものと変わらず、既存のものと同様に使うことができる。
しかしながら、バインダーに綴じ込む際には、別体の突出片が必要となるので、特に、営業職のように日常的に外出する人にとっては、突出片を携行し忘れたり、不足したりした場合に、出先でクリアファイルをバインダーに綴じ込もうとしてもできない。
【０００６】
本発明は上記従来の問題に着目して為されたものであり、綴込み部をクリアファイル側に完成形でもたせ、その綴込み部は非使用時にはシート片の一部を成して邪魔にならずに既存のクリアファイルと同様に書類を収容でき、その一方で綴込み使用時には綴込み可能状態に簡単に変えられるクリアファイルの提供を、その目的とする。
【課題を解決するための手段】
【０００７】
本発明は上記課題を解決するためになされたものであり、請求項１の発明は、一枚の矩形のシートの二つ折りによりできた二枚のシート片を重ね合わせ、その折り返し辺と直交する一辺どうしをシールしてなるファイル本体に、前記折り返し辺に両端が接続し、中間では一方のシート片側に膨らむ分離線と、前記折り返し辺と前記分離線の分離縁とで囲む領域内に設けられた綴じ孔とを備え、前記分離線の分離により、前記領域が前記折り返し辺で前記ファイル本体側と連設する綴込み用フラップとなる綴込み部を備えたクリアファイルにおいて、前記分離線は、中間の凸状に内方に突出する切込み線と、その両側の易破断線とで構成され、前記の連設した折り返し辺側の押え付けにより、前記切込み線の切込み縁に面した凸状部分を前記シート片側から浮き上がらせ、その浮き上がり部分を前記易破断線の引裂きによる分離作業用の掴み代として利用することを特徴とするクリアファイルである。
【０００８】
請求項２の発明は、請求項１に記載した綴込み部付きクリアファイルにおいて、易破断線が凹溝線で構成されていることを特徴とするクリアファイルである。
【０００９】
請求項３の発明は、請求項１または２に記載した綴込み部付きクリアファイルにおいて、綴込み部は裏面となるシート片側に設けられていることを特徴とするクリアファイルである。
【００１０】
請求項４の発明は、請求項１から３のいずれかに記載した綴込み部付きクリアファイルにおいて、分離線が折り返し辺から間隔をあけて略直交に内方に向けて同じだけ延びる二つの直交部分と、前記直交部分の内方端側から互いに近づく方向に一直線状に前記折り返し辺と略平行に延びる二つの平行部分と、前記平行部分のそれぞれの接近端側から延びて凸状に膨らむ部分とでなり、前記二つの平行部分にはそれぞれ易破断線が形成され、前記凸状部分が掴み代として利用されることを特徴とするクリアファイルである。
【００１１】
請求項５の発明は、請求項４に記載した綴込み部付きクリアファイルにおいて、綴じ孔が複数間隔をあけて設けられていることを特徴とするクリアファイルである。
【００１２】
請求項６の発明は、請求項４または５に記載した綴込み部付きクリアファイルにおいて、分離線は二つの平行部分に各別に設けた易破断線以外は切込み線になっており、前記切込み線と前記易破断線は、打ち抜き孔を介して連なっていることを特徴とするクリアファイルである。
【００１３】
請求項７の発明は、請求項６に記載した綴込み部付きクリアファイルにおいて、打ち抜き孔は一直線方向に長くなった長孔であることを特徴とするクリアファイルである。
【発明の効果】
【００１４】
本発明のクリアファイルによれば、クリアファイル側に完成形の綴込み部が備えられているので、別体のものを使用せずに済む。また、綴込み部を利用しないときには、ファイルのシート片の一部となり、突っかかったりしないので、既存のクリアファイルと同様にスムーズに書類を収容できる。
さらに、綴込み部を作るシート片を選べるので、書類の裏面に当たるシート片側に作れば、美観も損なわない。
【図面の簡単な説明】
【００１５】
【図１】本発明の第１の実施の形態に係るクリアファイルの斜視図である。
【図２】図１のクリアファイルの綴込み部の拡大正面図及び断面図である。
【図３】図１の掴み代の浮き上がり状態の説明図である。
【図４】図１のクリアファイルの綴込みフラップの作成手順の説明図である。
【図５】図４で作成した綴込みフラップの斜視図である。
【図６】図４で作成した綴込みフラップを利用したバインダーへの綴込み状態を示す斜視図である。
【図７】本発明の第２の実施の形態に係るクリアファイルの正面図である。
【図８】図７の拡大正面図である。
【図９】図７のクリアファイルの綴込みフラップの作成手順の説明図である。
【図１０】図９で作成した綴込みフラップの斜視図である。
【図１１】本発明の第３の実施の形態に係るクリアファイルの綴込み部の拡大正面図である。
【図１２】図１１のクリアファイルの綴込みフラップの作成手順の説明図である。
【発明を実施するための形態】
【００１６】
本発明の第１の実施の形態に係るクリアファイル１を図面にしたがって説明する。
図１で符号３はシートを示し、このシート３は透明な合成樹脂で形成されている。シート３は矩形をなしており、中央部分で二つ折りされ、折り返し辺５を境に二枚の同形状のシート片７、９に分かれている。二枚のシート片７、９は重ね合わされており、折り返し辺５と直交する二辺のうち下側辺どうしがシールされてシール部１１となっている。
【００１７】
ファイル本体は、上記したように既存の綴込み部の無い基本形のクリアファイルと同様に作られている。
次に、綴込み部について説明する。
符号１３は、綴込み用フラップ（Ｆ１）に変わるフラップ領域を示す。このフラップ領域１３は、裏面となるシート片７側に、折り返し辺５に沿って間隔をあけて二つ配置されている。従って、一つを代表して説明する。
図２に示すように、シート片７に一本の分離線１５が設けられており、この分離線１５の両端は折り返し辺５と間隔をあけて接続している。分離線１５は線Ｘ−Ｘ（折り返し辺５に直交する線）で上下に線対称になっており、上下で分離線１５（Ｕ、Ｌ）を分けて説明すると、上下側とも両端側から、折り返し辺５と直交する方向に線Ｙ１−Ｙ１（折り返し辺５に平行な線）まで延びた後、その上下の間隔を直径とする円弧を途中まで描き、さらに、その途中の線Ｙ２−Ｙ２上の部位（Ａ）から内方では、曲率半径を小さくした円弧を描き、そのまま線Ｘ−Ｘ上で合流している。
【００１８】
分離線１５（Ｕ、Ｌ）のうち、両端から部位（Ａ）に延びた部分はいずれも易破断線１７で構成されている。この易破断線１７は、シート片９との重ね合わせ面８側に凹溝１９が形成されて厚みが５０％に半減しており、易破断になっている。破断した後は、破断縁２１、２３ができる。
部位（Ａ）から内方に向かう残りの円弧部分は、切込み線２５で構成されている。従って、この切込み線２５により、切込み縁２７、２９が既にできている。
なお、図２では、縁を視認し易くするために、線巾が実際より太く描かれていることを理解されたい。
【００１９】
上記した折り返し辺５と、破断縁２１と切込み縁２７と破断縁２１とでなる一筆書き部分とで囲む領域が、フラップ領域１３であり、綴込み用フラップ（Ｆ１）として使用する際には、破断縁２１と切込み縁２７と破断縁２１とがフラップ縁となってシート片７からは分離し、シート片７とは折り返し辺５でのみ連設された状態となる。
上記した領域は全体として内方に凸状に膨らんでいるが、そのうち線Ｙ２−Ｙ２と切込み縁２７とで囲む部分が狭くなりながら内方に凸状に延びており、その部分が掴み代（Ｃ）として利用される箇所となっている。
【００２０】
符号３１は綴じ孔を示し、この綴じ孔３１は真円形となっている。綴じ孔３１は上下に間隔を十分にあけた破断縁２１、２１の間で打ち抜きにより形成されている。中心は、Ｙ１−Ｙ１線上にあり、掴み代（Ｃ）からも十分な間隔が設けられている。従って、掴み代（Ｃ）を利用する際にも干渉せず、リングＲが通されてバインダーに綴じ込まれたときにも十分な保持強度が確保される。
【００２１】
フラップ領域１３は、上記したように構成されており、破断する前には、シート片７の一部を略完全に成し、フラップ縁側が凹溝１９の連続した易破断線１７を介して安定的に連結されているので、書類が突っかかることは無い。しかも、シート３は、折り返し辺５が左辺にくるシート片９側を表面側として利用し、書類をシート片９側に表面がくるように収容するので、シート片７側に設けられたフラップ領域１３は目につき難く、美観を損なわない。
【００２２】
その一方で、図２のポイントＰにシート片７側は親指を、重ね合されたシート片９側からは人差し指を当てて挟み込んだ状態で押圧することで、図３に示すように、シート片７のうちポイントＰ側が相対的にシート片９に向かって押し下げられ、切込み縁２７に面した掴み代（Ｃ）側がその分だけ周囲のシート片７や重ね合せ側のシート片９から浮き上がる。掴み代（Ｃ）は曲率半径が小さくなっている関係で、その頂部側が掴み易い高さまで浮き上がるので、指で挟んで簡単に掴める。
【００２３】
フラップ領域１３は、この掴み代（Ｃ）を利用することで、シート片７側から容易に引き裂いて取り出せる。
図４（Ａ）に示すように、図３の要領でクリアファイルを指で挟んで押圧して、掴み代（Ｃ）を浮き上がらせる。
次に、図４（Ｂ）に示すように、その浮き上がった掴み代（Ｃ）を指で挟み込むことで掴み、上側に持ち上げつつ折り返し辺５側に引張っていくと、２本の易破断線１７が引き裂かれて破断していき、フラップ縁の一部をなす破断縁２１、２１が現れてくる。
易破断線１７、１７を折り返し辺５まで完全に引き裂くと、図５に示すように、破断縁２１と切込み縁２７と破断縁２１とが連なったフラップ縁が完全に現れて、綴込み用フラップ（Ｆ１）が出来上がる。
【００２４】
フラップ領域１３の折り返し辺５を谷側が山側となるように折って、綴込み用フラップ（Ｆ１）を、折り返し辺５を介してシート片９側と平面状に連設されるように折り返し辺５から張り出させれば、リングバインダー（Ｂ）のリング金具（Ｒ）に通せる状態となる。綴込み用フラップ（Ｆ１）を二つ作り、図６に示すように、リング金具（Ｒ）をそれぞれの綴じ孔３１に通せば、リングバインダー（Ｂ）に綴込むことができる。
なお、リング金具（Ｒ）から外して、綴込み用フラップ（Ｆ１）をシート片７側に折り戻せば、浮き上がりは若干出るにしても、矩形のシート片７内に収めることができ、基本形のクリアファイルとして再び使用できる。また、浮き上がりが気になる場合には、邪魔になれば、連設する折り返し辺５を切断して切り取ってもよい。
【００２５】
本発明の第２の実施の形態に係るクリアファイル３３を図面にしたがって説明する。
クリアファイル３３のファイル本体は、第１の実施の形態に係るクリアファイル１のものと同様の構成を有するので、同様の構成部分についてはクリアファイル１と同じ符号を付し、その説明を省略する。
図７において、符号３５は、綴込み用フラップ（Ｆ２）に変わるフラップ領域を示す。このフラップ領域３５は一つだけ配置されている。フラップ領域３５には、二つの綴じ孔３１、３１が設けられているが、この綴じ孔３１、３１は、第１の実施の形態に係る綴込み用フラップ（Ｆ１）と同じ形状で、折り返し辺５に対して同じ位置関係で設けられている。すなわち、第１の実施の形態では、一つの綴込み用フラップ（Ｆ１）に一つの綴じ孔３１が設けられていたが、この第２の実施の形態では、一つの綴込み用フラップ（Ｆ２）に二つの綴じ孔３１、３１が設けられていることになる。
【００２６】
図８（第１の実施の形態の図２に対応）に示すように、シート片７に一本の分離線３７が設けられており、この分離線３７の両端は折り返し辺５と間隔をあけて接続している。分離線３７は線Ｘ−Ｘ（折り返し辺５に直交する線）で上下に線対称になっており、上下で分離線３７（Ｕ、Ｌ）を分けて説明すると、上下側とも両端側から、折り返し辺５と直交する方向に線Ｙ３−Ｙ３（折り返し辺５に平行な線）近傍まで延びた後、丸みのついた角部を描いて方向を変え、線Ｙ３−Ｙ３上を互いに近づく方向に部位（Ｂ）まで延びた後、内方に凸状に膨らんだ円弧を描き、そのまま線Ｘ−Ｘ上で合流している。
分離線３７（Ｕ、Ｌ）のうち、両端から部位（Ｂ）に延びた部分はいずれも易破断線１７で構成されており、破断した後は、破断縁２１、２３ができる。
部位（Ｂ）から内方に向かう残りの円弧部分は、切込み線２５で構成されている。従って、この切込み線２５により、切込み縁２７、２９が既にできている。
【００２７】
上記した折り返し辺５と、破断縁２１と切込み縁２７と破断縁２１とでなる一筆書き部分とで囲む領域が、フラップ領域３５であり、綴込み用フラップ（Ｆ２）として使用する際には、破断縁２１と切込み縁２７と破断縁２１とがフラップ縁となってシート片７からは分離し、シート片７とは折り返し辺５でのみ連設された状態となる。
上記したフラップ領域３５は全体として内方に凸状に膨らんでいるが、そのうち線Ｙ３−Ｙ３と切込み縁２７とで囲む部分が狭くなりながら内方に凸状に延びており、その部分が掴み代（Ｃ）として利用される箇所となっている。
【００２８】
この第２の実施の形態でも、各綴じ孔３１は、近接する破断縁２１との間に、第１の実施の形態と同様に十分な間隔が設けられている。
フラップ領域３５は、上記したように構成されており、使用しない際には、第１の実施の形態のフラップ領域１３と同様に、シート片７の一部を成している。
【００２９】
図８のポイントＰにシート片７側は親指を、重ね合されたシート片９側からは人差し指を当てて挟み込んだ状態で押圧することで、第１の実施の形態と同様に、掴み代（Ｃ）が周囲のシート片７や重ね合せ側のシート片９から浮き上がる。従って、フラップ領域３５は、この掴み代（Ｃ）を利用することで、シート片７側から容易に引き裂いて取り出せる。
従って、第１の実施の形態と同じ要領で、図９（Ａ）に示すように、掴み代（Ｃ）を浮き上がらせ、図９（Ｂ）に示すように、その浮き上がった掴み代（Ｃ）を指で挟み込むことで掴み、上側に持ち上げつつ折り返し辺５側に引張っていくと、２本の易破断線１７が引き裂かれて破断していき、フラップ縁の一部となす破断縁２１、２１が出来ていき、易破断線１７、１７を折り返し辺５まで完全に引き裂くと、図１０に示すように、フラップ縁が完全に現れて、綴込み用フラップ（Ｆ２）が出来上がる。
【００３０】
綴込み用フラップ（Ｆ２）を、折り返し辺５を介してシート片９側と平面状に連設されるように折り返し辺５から張り出させれば、リングバインダー（Ｂ）のリング金具（Ｒ）に通して綴込める。
この綴込み用フラップ（Ｆ２）は、引き裂きは一回で済む上に、二つの綴じ孔３１、３１を保持する関係で易破断線１７が折り返し辺５と略平行な方向にも延びているので、掴み代（Ｃ）が不用意に何かに引っ掛って捲り上がり方向に引っ張られても、易破断線１７が破断し難くなっている。
【００３１】
本発明の第３の実施の形態に係るクリアファイル３９を図面にしたがって説明する。
クリアファイル３９のファイル本体は、第１の実施の形態に係るクリアファイル１のものと同様の構成を有するので、同様の構成部分についてはクリアファイル１と同じ符号を付し、その説明を省略する。
図１１において、符号４１は綴込み用フラップ（Ｆ３）に変わるフラップ領域を示す。このフラップ領域４１は、第２の実施の形態に係るフラップ領域３５とほぼ同じ寸法及び形状になっており、二つの綴じ孔３１、３１が同様に設けられている。
【００３２】
但し、フラップ領域４１を画定する分離線４３の中間の掴み代（Ｃ）用の切込み線２５の両端部は線Ｙ３−Ｙ３上の長い長孔４５（Ｕ）、４５（Ｌ）になっており、線Ｙ３−Ｙ３上には、さらに同じ間隔をあけて、長孔４７（Ｕ）、４７（Ｌ）が設けられている。そして、易破断線１７として、中間の切込み線２５を挟んで、長孔４５（Ｕ）と長孔４７（Ｕ）を連通するものと、長孔４５（Ｌ）と長孔４７（Ｌ）を連通するものとが設けられている。長孔４７（Ｕ）と折り返し辺５との接続までの間と、長孔４７（Ｌ）と折り返し辺５との接続までの間は、切込み線２７になっている。
【００３３】
このフラップ領域４１は、第２の実施の形態と同様に掴み代（Ｃ）を引張りながら易破断線１７を引き裂くことで、シート片７から取り出すこともできるが、図１２に示すように、長孔４７（Ｌ）にカッター（Ｋ）の先端を差し込み、長孔４７（Ｌ）から長孔４５（Ｌ）まで易破断線１７を切り裂き、さらに、長孔４５（Ｕ）から長孔４７（Ｕ）まで易破断線１７を同様に切り裂いて、フラップ領域４１をシート片７側から取り出すことも可能である。カッターに代えてハサミでも可能である。
このように、道具を用いることも可能である。易破断線１７の両端に長孔が設けられているので、ハサミなどの差込み側が無理なく広げられ、フラップ縁が折り曲がったりはしない。また、カッター等を当てたときにその刃先を長孔内に収まり、フラップ領域４１に破断の原因となるような線状の切欠きを作ることは無い。
【００３４】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００３５】
１…クリアファイル（第１の実施の形態）    ３…シート
５…折り返し辺                            ７…シート片
９…シート片                            １１…シール部
１３…フラップ領域                        １５…分離線
１７…易破断線                            １９…凹溝
２１、２３…破断縁                        ２５…切込み線
２７、２９…切込み縁                      ３１…綴じ孔
Ｆ…綴込み用フラップ                      Ｃ…掴み代
Ｂ…リングバインダー                      Ｒ…リング金具
３３…クリアファイル（第２の実施の形態）
３５…フラップ領域                        ３７…分離線
３９…クリアファイル（第３の実施の形態）
４１…フラップ領域                        ４３…分離線
Ｋ…カッター
【図１】
2015080909.tif 000003
【図２】
2015080909.tif 000004
【図３】
2015080909.tif 000005
【図４】
2015080909.tif 000006
【図５】
2015080909.tif 000007
【図６】
2015080909.tif 000008
【図７】
2015080909.tif 000009
【図８】
2015080909.tif 000010
【図９】
2015080909.tif 000011
【図１０】
2015080909.tif 000012
【図１１】
2015080909.tif 000013
【図１２】
2015080909.tif 000014